(57)【要約】【課題】マイクから入力される音声に基づいてカラオケ演奏に対する操作を行う際、歌唱区間において当該操作が誤って行われることを防止するカラオケ装置を提供する。【解決手段】楽曲の歌唱区間においてマイクから入力される音声を順次解析し、音声入力された文字及びその入力タイミングを時系列に特定する特定部、特定された文字とキーワードとを比較することにより、キーワードと同じ文字からなる所定の文字列が音声入力されたかどうかを判断する第１の判断部、所定の文字列が音声入力された場合、楽曲の歌詞の中から、所定期間において歌唱されるべき歌詞を抽出する歌詞抽出部、抽出された歌詞と所定の文字列が一致しない場合、所定の文字列と同じキーワードに対応する操作コマンドに従った操作を実行し、抽出された歌詞と所定の文字列が一致する場合、所定の文字列と同じキーワードに対応する操作コマンドに従った操作を禁止するコマンド制御部、を有するカラオケ装置。【選択図】図２
2019117282.tif 000002
【特許請求の範囲】
【請求項１】
カラオケ演奏に関する各種操作を行うための操作コマンドを、キーワードと対応付けて記憶するデータ記憶部と、
ある楽曲の歌唱区間においてマイクから入力される音声を順次解析し、音声入力された文字及びその入力タイミングを時系列に特定する特定部と、
特定された前記文字と前記キーワードとを比較することにより、前記キーワードと同じ文字からなる所定の文字列が音声入力されたかどうかを判断する第１の判断部と、
前記所定の文字列が音声入力された場合、前記ある楽曲の歌詞の中から、当該所定の文字列を構成する文字の入力タイミングを含む所定期間において歌唱されるべき歌詞を抽出する歌詞抽出部と、
抽出された前記歌詞と前記所定の文字列を比較する比較部と、
抽出された前記歌詞と前記所定の文字列が一致しない場合、前記所定の文字列と同じキーワードに対応する操作コマンドに従った操作を実行し、抽出された前記歌詞と前記所定の文字列が一致する場合、前記所定の文字列と同じキーワードに対応する操作コマンドに従った操作を禁止するコマンド制御部と、
を有するカラオケ装置。
【請求項２】
前記ある楽曲についてカラオケ演奏を行う前に、当該ある楽曲の歌詞の中に前記キーワードが含まれているかどうかを予め判断する第２の判断部を有し、
前記ある楽曲の歌詞の中に前記キーワードが含まれていないと判断された場合、前記コマンド制御部は、前記歌詞抽出部及び前記比較部の機能を無効化し、且つ前記キーワードと同じ文字からなる所定の文字列が音声入力された場合、当該キーワードに対応する操作コマンドに従った操作を実行することを特徴とする請求項１記載のカラオケ装置。
【発明の詳細な説明】
【技術分野】
【０００１】
本発明はカラオケ装置に関する。
【背景技術】
【０００２】
カラオケ装置は、装置本体や付属するリモコン装置を介し、カラオケ演奏の中止、演奏ボリュームや演奏ピッチの変更、或いはマイク音量の調整等、カラオケ演奏に関する各種の操作を行うことができる。
【０００３】
しかし、歌唱者自身がこれらの操作を行うためには、装置本体の設置場所やリモコン装置が置かれている場所まで移動する必要があり煩雑である。また、カラオケ演奏の歌唱区間（歌詞が設定されている区間）においては、カラオケ歌唱を行いながら装置本体やリモコン装置を操作すること自体が困難である。更に、ナイト店舗のように装置本体がカウンター内にある場合や、他の歌唱者がリモコン装置で選曲を行っている場合等、歌唱者が装置本体やリモコン装置を使用できない状況（各種操作を行えない状況）もありうる。
【０００４】
そこで、歌唱者が使用しているマイクから所定の音声を入力することにより、所望の操作を実行できる技術が開示されている。
【０００５】
たとえば、特許文献１には、マイクロホンより入力された音声の認識処理を行って特定の言葉が入力されたと認識されたとき、その言葉に対応付けされて記憶されているコードを適宜な無線信号に変調して送出するワイヤレスマイクロホンが開示されている。このような技術によれば、マイクロホンを使用する人が発声動作や身体動作を中断させることなく各種機器を遠隔操作できる。
【０００６】
また、特許文献２には、カラオケ演奏の非歌唱区間（歌詞が設定されていない区間）においてマイクから入力された入力音声情報が歌唱者のものである場合、当該入力音声情報に対する音声認識結果に基づく音声コマンドを実行する音声コマンド処理を実行可能なカラオケ装置が開示されている。このような技術によれば、歌唱者以外の雑談等を音声コマンドと誤認識することを防止できる。
【先行技術文献】
【特許文献】
【０００７】
【特許文献１】特開２００２−０６２８９４号公報
【特許文献２】特開２０１４−１３０１８７号公報
【発明の概要】
【発明が解決しようとする課題】
【０００８】
ここで、歌唱者が、歌唱区間においてカラオケ演奏に関する各種操作を行いたいと考える場合もありうる。たとえば、うろ覚えの楽曲のカラオケ歌唱を試みたが、ある箇所から歌えなくなった場合（それ以降も歌唱区間が続く場合）、歌唱者はカラオケ演奏を中止したいと考えることがある。或いは、ある歌唱区間のカラオケ歌唱中にキーがあっていないことが分かった場合、歌唱者は、それ以降の歌唱区間においてはキーを変更して歌いたいと考えることがある。
【０００９】
この際、特許文献１の技術を用いることで、歌唱区間においてもマイクロホン使用して各種の操作が行える可能性がある。しかしながら、特許文献１の技術によれば、歌唱区間における歌詞に特定の言葉と同じ言葉が含まれている場合、当該歌詞を歌唱した場合にも特定の言葉として認識してしまうため、歌唱者が望まない操作（誤操作）が実行される可能性がある。また、特許文献２の技術は、非歌唱区間での音声コマンド処理を行うものであるため、歌唱区間での音声コマンド処理には対応できない。
【００１０】
本発明の目的は、マイクから入力される音声に基づいてカラオケ演奏に関する操作を行う際、歌唱区間において当該操作が誤って行われることを防止するカラオケ装置を提供することにある。
【課題を解決するための手段】
【００１１】
上記目的を達成するための主たる発明は、カラオケ演奏に関する各種操作を行うための操作コマンドを、キーワードと対応付けて記憶するデータ記憶部と、ある楽曲の歌唱区間においてマイクから入力される音声を順次解析し、音声入力された文字及びその入力タイミングを時系列に特定する特定部と、特定された前記文字と前記キーワードとを比較することにより、前記キーワードと同じ文字からなる所定の文字列が音声入力されたかどうかを判断する第１の判断部と、前記所定の文字列が音声入力された場合、前記ある楽曲の歌詞の中から、当該所定の文字列を構成する文字の入力タイミングを含む所定期間において歌唱されるべき歌詞を抽出する歌詞抽出部と、抽出された前記歌詞と前記所定の文字列を比較する比較部と、抽出された前記歌詞と前記所定の文字列が一致しない場合、前記所定の文字列と同じキーワードに対応する操作コマンドに従った操作を実行し、抽出された前記歌詞と前記所定の文字列が一致する場合、前記所定の文字列と同じキーワードに対応する操作コマンドに従った操作を禁止するコマンド制御部と、を有するカラオケ装置である。
本発明の他の特徴については、後述する明細書及び図面の記載により明らかにする。
【発明の効果】
【００１２】
本発明によれば、マイクから入力される音声に基づいてカラオケ演奏に関する操作を行う際、歌唱区間において当該操作が誤って行われることを防止できる。
【図面の簡単な説明】
【００１３】
【図１】第１実施形態に係るカラオケ装置のハードウェア構成例を示す図である。
【図２】第１実施形態に係るカラオケ本体のソフトウェア構成例を示す図である。
【図３】第１実施形態に係るデータ記憶部に記憶されるデータ例を示す図である。
【図４】第１実施形態に係る特定部により特定された文字及び入力タイミングの例を示した図である。
【図５】第１実施形態に係るカラオケ装置の処理を示すフローチャートである。
【図６】第２実施形態に係るカラオケ本体のソフトウェア構成例を示す図である。
【図７】第２実施形態に係るカラオケ装置の処理を示すフローチャートである。
【発明を実施するための形態】
【００１４】
＜第１実施形態＞
図１〜図５を参照して、本実施形態に係るカラオケ装置１について説明する。
【００１５】
＝＝カラオケ装置＝＝
カラオケ装置１は、歌唱者が選曲した楽曲のカラオケ演奏、及び歌唱者がカラオケ歌唱を行うための装置である。図１に示すように、カラオケ装置１は、カラオケ本体１０、スピーカ２０、表示装置３０、マイク４０、及びリモコン装置５０を備える。
【００１６】
スピーカ２０はカラオケ本体１０からの放音信号に基づいて放音するための構成である。表示装置３０はカラオケ本体１０からの信号に基づいて映像や画像を画面に表示するための構成である。マイク４０は歌唱者の歌唱音声（マイク４０への入力音声）をアナログの歌唱音声信号に変換してカラオケ本体１０に入力するための構成である。
【００１７】
（カラオケ本体のハードウェア）
図１に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００１８】
カラオケ本体１０は、選曲された楽曲のカラオケ演奏制御、歌詞や背景画像等の表示制御、マイク４０を通じて入力された歌唱音声信号の処理といった、カラオケ歌唱に関する各種の制御を行う。
【００１９】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２０】
通信部１２は、ルーター（図示なし）を介してカラオケ本体１０を通信回線に接続するためのインターフェースを提供する。
【００２１】
記憶部１３は、各種のデータを記憶する大容量の記憶装置であり、たとえばハードディスクドライブなどである。記憶部１３は、カラオケ装置１によりカラオケ演奏を行うための複数の楽曲データを記憶する。
【００２２】
楽曲データは、個々のカラオケ楽曲を特定するための識別情報（楽曲ＩＤ）が付与されている。楽曲データは、伴奏データ、リファレンスデータ、背景画像データ、歌詞データ及び属性情報を含む。伴奏データは、カラオケ演奏音の元となるＭＩＤＩ形式のデータである。リファレンスデータは、歌唱者によるカラオケ歌唱を採点する際の基準として用いられるデータである。背景画像データは、カラオケ演奏時に合わせて表示装置３０等に表示される背景画像に対応するデータである。歌詞データは、表示装置３０等に表示させる歌詞（歌詞テロップ）に関するデータである。歌詞データに含まれる各歌詞（文字）には、歌唱すべきタイミングが関連付けられている。歌唱すべきタイミングは、たとえば、演奏開始から当該文字の発声を開始すべき時点までの経過時間（●分●秒●）である。属性情報は、曲名、歌手名、作詞・作曲者名、及びジャンル等の当該楽曲に関する情報である。
【００２３】
音響処理部１４は、制御部１１の制御に基づき、楽曲に対する演奏の制御およびマイク４０を通じて入力された歌唱音声信号の処理を行う。音響処理部１４は、たとえばＭＩＤＩ音源、Ａ／Ｄコンバータ、ＤＳＰ（Ｄｉｇｉｔａｌ  Ｓｉｇｎａｌ  Ｐｒｏｃｅｓｓｏｒ）を含むミキサ、Ｄ／Ａコンバータ、アンプ（いずれも図示なし）を含む。制御部１１は、予約された楽曲の伴奏データを、テンポクロック信号に基づいて順次読み出し、ＭＩＤＩ音源に入力する。ＭＩＤＩ音源は、当該伴奏データに基づいて楽音信号を生成する。Ａ／Ｄコンバータは、マイク４０から入力される歌唱音声信号をデジタル音声データに変換し、ミキサ（ＤＳＰ）に入力する。ミキサは、当該楽音信号および当該デジタル音声データを適当な比率でミキシングする。Ｄ/Ａコンバータはミキシング信号をアナログ音声信号に変換し、アンプは、Ｄ/Ａコンバータからのアナログ音声信号を増幅し、放音信号としてスピーカ２０へ出力する。これにより、スピーカ２０からは放音信号に基づくカラオケ演奏音およびマイク４０からの歌唱音声が放音される。
【００２４】
表示処理部１５は、制御部１１の制御に基づき、表示装置３０における各種表示に関する処理を行う。たとえば、表示処理部１５は、カラオケ演奏時における背景画像に歌詞や各種アイコンが重ねられた映像を表示装置３０に表示させる制御を行う。
【００２５】
操作部１６は、パネルスイッチおよびリモコン受信回路などからなり、歌唱者によるカラオケ装置１のパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００２６】
リモコン装置５０は、カラオケ本体１０に対する各種操作をおこなうための装置である。歌唱者はリモコン装置５０を用いて歌唱を希望するカラオケ楽曲の選曲（予約）等を行うことができる。
【００２７】
（カラオケ本体のソフトウェア）
図２はカラオケ本体１０のソフトウェア構成例を示す図である。カラオケ本体１０は、データ記憶部１００、特定部２００、第１の判断部３００、歌詞抽出部４００、比較部５００、及びコマンド制御部６００を備える。データ記憶部１００は、記憶部１３の記憶領域の一部として提供される。特定部２００、第１の判断部３００、歌詞抽出部４００、比較部５００、及びコマンド制御部６００は、ＣＰＵ１１ａがメモリ１１ｂに記憶されるプログラムを実行することにより実現される。
【００２８】
［データ記憶部］
データ記憶部１００は、カラオケ演奏に関する各種操作を行うための操作コマンドを、キーワードと対応付けて記憶する。
【００２９】
操作コマンドは、カラオケ演奏に対して行う操作、或いは当該カラオケ演奏に付随して行う操作をカラオケ装置１に実行させるための命令である。操作コマンドは、たとえば、演奏中止用、キー変更用、伴奏音量変更用、マイク音量変更用、エコー調整用等がある。キーワードは、カラオケ装置１に対して各操作コマンドを入力するための文字列である。本実施形態においては、マイク４０を介して所定のキーワードを音声入力することにより、所定のキーワードに対応する操作コマンドに従った操作が実行される（詳細は後述）。
【００３０】
図３は、操作コマンドとキーワードを対応付けたテーブルの一例である。この例では、たとえば「演奏中止」の操作コマンドに対し、「チュウシ」、「ストップ」、「オワリ」、「シュウリョウ」の４つのキーワードが対応付けられている。なお、この例では、一の操作コマンドに対して複数のキーワードが対応付けられているが、一の操作コマンドに対して少なくとも一のキーワードが関連付けられていればよい。
【００３１】
［特定部］
特定部２００は、ある楽曲の歌唱区間においてマイク４０から入力される音声を順次解析し、音声入力された文字及びその入力タイミングを時系列に特定する。
【００３２】
歌唱区間は、ある楽曲において歌唱すべき歌詞が設定されている区間（Ａメロ、Ｂメロ、サビ等）である。一の歌唱区間には少なくとも一の文字から構成される歌詞が設定されている。入力タイミングは、ある楽曲の演奏開始時点を「０」とした場合に、ある文字に対応する音声が入力された時刻（当該音声の発声を歌唱者が開始した時刻）として示すことができる。入力タイミングは、たとえば、ある文字が特定された時点の演奏タイミングから処理時間（音声入力がなされてから文字が特定されるまでにかかる時間）を減じたタイミングとして求めることができる。また、各文字は音節毎に特定される。
【００３３】
具体的に、楽曲Ｘのある歌唱区間において、マイク４０からある音声が入力されたとする。特定部２００は、音響処理部１４のＤＳＰを制御し、Ａ／Ｄコンバータで変換されたデジタル音声データを周知の音声認識アルゴリズムを用いて解析する。そして、特定部２００は、デジタル音声データから認識された音節に基づく文字と当該文字が音声入力された入力タイミングを対応付けてＲＡＭ（図示無し）等に一時的に記憶する。
【００３４】
特定部２００は、マイク４０から音声入力がなされる都度、同様の処理を実行することにより、音声入力された文字を時系列に特定する。図４は、特定された文字及びその入力タイミングを示した例である。この例では、「ア」、「イ」、「ガ」、「オ」、「ワ」、「リ」、「ヲ」という文字が時系列に特定されている。
【００３５】
［第１の判断部］
第１の判断部３００は、特定された文字とキーワードとを比較することにより、キーワードと同じ文字からなる所定の文字列が音声入力されたかどうかを判断する。
【００３６】
具体的に、第１の判断部３００は、特定された文字毎に順次キーワードとの比較を行う。たとえば、図４に示した文字「ア」が特定されたとする。この場合、第１の判断部３００は、「ア」とデータ記憶部１００に記憶されている全キーワード（図３参照）の１文字目との比較を行う。図３のテーブルには、一文字目が「ア」であるキーワードは含まれていない。この場合、第１の判断部３００は、次に特定された文字「イ」、「ガ」・・・の順に同様の処理を行う。
【００３７】
一方、特定されたある文字がキーワードの一文字目と一致した場合、第１の判断部３００は、当該ある文字の次に特定された文字とキーワードの二文字目との比較を行う。たとえば、上述の「ア」、「イ」、「ガ」の次に特定された文字は「オ」であり、図３に示したテーブルには、図４に示した文字「オ」が一文字目であるキーワード「オワリ」が含まれている。この場合、第１の判断部３００は、文字「オ」の次に特定された文字「ワ」とキーワード「オワリ」の二文字目「オ」の比較を行う。
【００３８】
このように順次比較を行った結果、時系列に特定された文字とあるキーワードの文字の全てが一致した場合、第１の判断部３００は、キーワードと同じ文字からなる文字列が音声入力されたと判断する。図３及び図４の場合、第１の判断部３００は、所定の文字列「オワリ」が音声入力されたと判断する。
【００３９】
［歌詞抽出部］
歌詞抽出部４００は、所定の文字列が音声入力された場合、ある楽曲の歌詞の中から、当該所定の文字列を構成する文字の入力タイミングを含む所定期間において歌唱されるべき歌詞を抽出する。
【００４０】
所定期間は、本来歌唱されるべき歌詞を抽出する範囲を決定するための期間である。所定期間は、所定の文字列を構成する文字の入力タイミングを含む。たとえば、所定の文字列が図４に示した「オワリ」の場合、文字「オ」の入力タイミング１：０１：５０〜文字「リ」の入力タイミング１：０２：００までを所定期間とすることができる。一方、歌唱者の中には突っ込み歌唱タメ歌唱のように本来歌唱すべきタイミングをわざとずらして歌唱する者もいる。そこで、所定期間は、所定の文字列の入力タイミングに対し前後数秒を加えたものとしてもよい。上記例であれば、前−０．５秒、後＋０．５秒を加えた、１：０１：００〜１：０２：５０を所定期間としてもよい。
【００４１】
具体的に、所定の文字列「オワリ」が音声入力された場合、歌詞抽出部４００は、楽曲Ｘの歌詞データを記憶部１３から読み出す。歌詞抽出部４００は、読み出した歌詞データのうち、所定期間（たとえば、１：０１：５０〜１：０２：００）において歌唱されるべき歌詞を抽出する。この例では、歌詞抽出部４００は、楽曲Ｘの歌詞の中から歌唱されるべき歌詞として「が終わりを」を抽出したとする。
【００４２】
［比較部］
比較部５００は、抽出された歌詞と所定の文字列を比較する。
【００４３】
たとえば、比較部５００は、上記例において抽出された歌詞「が終わりを」と、所定の文字列「オワリ」を比較する。この例のように抽出された歌詞に漢字や外国語が含まれている場合、比較部５００は、まず歌詞を仮名文字（「ガオワリヲ」）に変換する。そして、比較部５００は、変換した仮名文字と所定の文字列とを一文字ずつ順次比較する。比較部５００における比較は、たとえば、第１の判断部３００と同様の処理を行うことができる。すなわち、比較部５００は、抽出された歌詞の一文字目「ガ」と所定の文字列の一文字目「オ」を比較する。一文字目が一致しない場合、比較部５００は、抽出された歌詞の二文字目「オ」、「ワ」・・・の順に同様の処理を行う。
【００４４】
一方、抽出された歌詞に含まれる文字が所定の文字列の一文字目と一致した場合、比較部５００は、歌詞に含まれる次の文字と所定の文字列の二文字目との比較を行う。たとえば、上記例において、比較部５００は、歌詞に含まれる次の文字「ワ」と所定の文字列の二文字目「ワ」との比較を行う。このような比較を繰り返すことにより、比較部５００は、抽出された歌詞と所定の文字列とが一致するかどうかを求める。
【００４５】
［コマンド制御部］
コマンド制御部６００は、外部から入力される操作コマンドに応じて音響処理部１４を制御し、カラオケ演奏に関する各種操作を実行する。
【００４６】
たとえば、コマンド制御部６００は、カラオケ本体１０の操作部１６やリモコン装置５０を介して入力された操作コマンドに従った操作を実行する。
【００４７】
また、本実施形態に係るコマンド制御部６００は、抽出された歌詞と所定の文字列が一致しない場合、所定の文字列と同じキーワードに対応する操作コマンドに従った操作を実行する。
【００４８】
抽出された歌詞は、音声入力がなされた時点で歌唱されるべき歌詞に相当する。従って、その歌詞と一致しない音声入力がなされた場合、歌唱者は操作コマンドを入力したと考えることが妥当である。そこで、コマンド制御部６００は、データ記憶部１００を参照し、所定の文字列と同じキーワードに対応する操作コマンドを特定し、当該操作コマンドに従った操作を実行する。
【００４９】
一方、抽出された歌詞と所定の文字列が一致する場合、コマンド制御部６００は、所定の文字列と同じキーワードに対応する操作コマンドに従った操作を禁止する。
【００５０】
上述の通り、抽出された歌詞は、音声入力がなされた時点で歌唱されるべき歌詞に相当する。従って、その歌詞と一致する音声入力がなされた場合、歌唱者は単に歌うべき歌詞をカラオケ歌唱したと考えることが妥当である。このような場合に所定の文字列と同じキーワードの操作コマンドに従った操作を実行することは歌唱者の意思に反する。
【００５１】
そこで、コマンド制御部６００は、所定の文字列と同じキーワードに対応する操作コマンドに従った操作を禁止する。
【００５２】
上記例において、比較部５００は、抽出された歌詞「が終わりを」と所定の文字列「オワリ」が一致すると判断する。この場合、コマンド制御部６００は、所定の文字列「オワリ」と同じキーワード「オワリ」に対応する操作コマンド「演奏中止」に従った演奏中止の操作を禁止する。
【００５３】
＝＝カラオケ装置１の動作について＝＝
次に、図５を参照して本実施形態におけるカラオケ装置１の動作の具体例について述べる。図５は、カラオケ装置１の動作例を示すフローチャートである。この例では、楽曲Ｘのある歌唱区間において歌唱者から音声入力がなされたとする。
【００５４】
特定部２００は、マイク４０から入力される音声を順次解析し、音声入力された文字及びその入力タイミングを時系列に特定する（文字及び入力タイミングの特定。ステップ１０）。
【００５５】
第１の判断部３００は、ステップ１０で特定された文字とデータ記憶部１００に記憶されているキーワードとを比較する（特定された文字とキーワードを比較。ステップ１１）。
【００５６】
キーワードと同じ文字からなる所定の文字列が音声入力された場合（ステップ１２でＹの場合）、歌詞抽出部４００は、楽曲Ｘの歌詞の中から、所定の文字列を構成する文字の入力タイミングを含む所定期間において歌唱されるべき歌詞を抽出する（歌唱されるべき歌詞の抽出。ステップ１３）。一方、キーワードと同じ文字からなる所定の文字列が音声入力されなかった場合（ステップ１２でＮの場合）、以降の処理は行われない。
【００５７】
比較部５００は、ステップ１３で抽出された歌詞と所定の文字列を比較する（抽出された歌詞と所定の文字列を比較。ステップ１４）。
【００５８】
抽出された歌詞と所定の文字列が一致しない場合（ステップ１５でＮの場合）、コマンド制御部６００は、所定の文字列と同じキーワードに対応する操作コマンドに従った操作を実行する（操作の実行。ステップ１６）。
【００５９】
一方、抽出された歌詞と所定の文字列が一致する場合（ステップ１５でＹの場合）、コマンド制御部６００は、所定の文字列と同じキーワードに対応する操作コマンドに従った操作を禁止する（操作の禁止。ステップ１７）。カラオケ装置１は、楽曲Ｘの全ての歌唱区間が終了するまで（ステップ１８でＹの場合）、各歌唱区間において上記処理を繰り返し行う。
【００６０】
以上から明らかなように、本実施形態に係るカラオケ装置１は、カラオケ演奏に関する各種操作を行うための操作コマンドを、キーワードと対応付けて記憶するデータ記憶部１００と、ある楽曲の歌唱区間においてマイク４０から入力される音声を順次解析し、音声入力された文字及びその入力タイミングを時系列に特定する特定部２００と、特定された文字とキーワードとを比較することにより、キーワードと同じ文字からなる所定の文字列が音声入力されたかどうかを判断する第１の判断部３００と、所定の文字列が音声入力された場合、ある楽曲の歌詞の中から、当該所定の文字列を構成する文字の入力タイミングを含む所定期間において歌唱されるべき歌詞を抽出する歌詞抽出部４００と、抽出された歌詞と所定の文字列を比較する比較部５００と、抽出された歌詞と所定の文字列が一致しない場合、所定の文字列と同じキーワードに対応する操作コマンドに従った操作を実行し、抽出された歌詞と所定の文字列が一致する場合、所定の文字列と同じキーワードに対応する操作コマンドに従った操作を禁止するコマンド制御部６００と、を有する。
【００６１】
このようなカラオケ装置１によれば、ある楽曲の歌唱区間においてマイク４０から音声入力があった場合に、当該音声入力がカラオケ歌唱であるか、操作コマンドの入力であるかを判断し、操作コマンドの入力である場合には当該操作コマンドに従った操作を実行できる。従って、歌唱者は歌唱区間のカラオケ演奏中であっても、リモコン装置５０等を介さずに容易に操作コマンドの入力が可能となる。一方、歌詞の中にたまたま操作コマンドに対応するキーワードが含まれているような場合、本実施形態におけるカラオケ装置１によれば、当該キーワードに対応する操作コマンドに従った操作が実行されることが無い。従って、歌唱者の意思に反する操作が行われることが無い。すなわち、本実施形態に係るカラオケ装置１によれば、マイク４０から入力される音声に基づいてカラオケ演奏に関する操作を行う際、歌唱区間において当該操作が誤って行われることを防止できる。
【００６２】
なお、本実施形態では、歌唱区間において操作コマンドに従った操作を実行する際の処理について説明を行ったが、非歌唱区間においても音声入力に応じて操作コマンドに従った操作を実行することも可能である。非歌唱区間においては、カラオケ歌唱すべき歌詞が存在しないため、音声入力された文字列がキーワードと一致する場合には、操作コマンドを入力したと考えることが妥当である。
【００６３】
具体的には、非歌唱区間において、マイク４０から音声入力がなされた場合、特定部２００は、入力される音声を順次解析し、音声入力された文字を時系列に特定する。第１の判断部３００は、特定された文字とキーワードとを比較することにより、キーワードと同じ文字からなる所定の文字列が音声入力されたかどうかを判断する。所定の文字列が音声入力された場合、コマンド制御部６００は、所定の文字列と同じキーワードに対応する操作コマンドに従った操作を実行する。
【００６４】
＜第２実施形態＞
次に、図６及び図７を参照して、第２実施形態に係るカラオケ装置１について説明する。本実施形態では、ある楽曲についてカラオケ演奏を行う前に、当該ある楽曲の歌詞の中に操作コマンドに対応するキーワードが含まれているかどうかを予め判断する例について述べる。第１実施形態と同様の構成については詳細な説明を省略する。
【００６５】
（カラオケ本体のソフトウェア）
図６はカラオケ本体１０のソフトウェア構成例を示す図である。本実施形態に係るカラオケ本体１０は、データ記憶部１００、特定部２００、第１の判断部３００、歌詞抽出部４００、比較部５００、コマンド制御部６００、及び第２の判断部７００を備える。データ記憶部１００は、記憶部１３の記憶領域の一部として提供される。特定部２００、第１の判断部３００、歌詞抽出部４００、比較部５００、コマンド制御部６００、及び第２の判断部７００は、ＣＰＵ１１ａがメモリ１１ｂに記憶されるプログラムを実行することにより実現される。
【００６６】
［第２の判断部］
第２の判断部７００は、ある楽曲についてカラオケ演奏を行う前に、当該ある楽曲の歌詞の中にキーワードが含まれているかどうかを予め判断する。
【００６７】
ある楽曲の歌詞の中に操作コマンドに対応するキーワードが含まれていない場合、カラオケ歌唱の際に操作コマンドに従った操作の実行を指示していないにも関わらずキーワードが音声入力されることは無い。つまり、キーワードが音声入力された場合、歌唱者は操作コマンドに従った操作の実行を指示していると考えることが妥当である。
【００６８】
たとえば、楽曲Ｘが予約待ち行列に登録されたとする。この場合、第２の判断部７００は、楽曲Ｘのカラオケ演奏が開始されるまでに（予約待ち行列に登録された時点、次に楽曲Ｘがカラオケ演奏される時点等）楽曲Ｘの歌詞データを記憶部１３から読み出し、その中にデータ記憶部１００に記憶されているいずれかのキーワードが含まれているかどうかを判断する。この判断は、たとえば、第１実施形態で説明した第１の判断部３００における判断と同様の手法により行うことができる。
【００６９】
［コマンド制御部］
本実施形態に係るコマンド制御部６００は、ある楽曲の歌詞の中にキーワードが含まれていないと判断された場合、歌詞抽出部４００及び比較部５００の機能を無効化し、且つキーワードと同じ文字からなる所定の文字列が音声入力された場合、当該キーワードに対応する操作コマンドに従った操作を実行する。
【００７０】
ある楽曲の歌詞の中に操作コマンドに対応するキーワードが含まれている場合、カラオケ歌唱の際に操作コマンドに従った操作の実行を指示していないにも関わらずキーワードが音声入力される。従って、第１実施形態で説明したように、歌詞抽出部４００及び比較部５００による処理結果に応じ、操作コマンドに従った操作の実行や禁止が必要となる。逆に、ある楽曲の歌詞の中に操作コマンドに対応するキーワードが含まれていない場合には、歌詞抽出部４００及び比較部５００による処理は不要である。
【００７１】
従って、コマンド制御部６００は、ある楽曲の歌詞の中にキーワードが含まれていないと判断された場合、歌詞抽出部４００及び比較部５００の機能を無効化する。すなわち、第１の判断部３００により所定の文字列が音声入力されたと判断された場合であっても、歌詞抽出部４００及び比較部５００は、当該判断結果に基づく処理を行わない。
【００７２】
一方、ある楽曲の歌詞の中にキーワードが含まれていない場合であっても、操作コマンドが音声入力される可能性はある。そこで、コマンド制御部６００は、ある楽曲の歌詞の中にキーワードが含まれていないと判断された場合には、キーワードと同じ文字からなる所定の文字列が音声入力された場合、当該キーワードに対応する操作コマンドに従った操作を実行する。
【００７３】
たとえば、第２の判断部７００により、楽曲Ｘの歌詞の中にはキーワードが含まれていないと判断されたとする。その後、楽曲Ｘがカラオケ演奏され、歌唱者はカラオケ歌唱を行う。
【００７４】
この際、特定部２００は、マイク４０から入力される音声を順次解析し、音声入力された文字を時系列に特定する。第１の判断部３００は、特定された文字とキーワードとを比較することにより、キーワードと同じ文字からなる所定の文字列が音声入力されたかどうかを判断する。所定の文字列が音声入力された場合、コマンド制御部６００は、所定の文字列と同じキーワードに対応する操作コマンドに従った操作を実行する。
【００７５】
＝＝カラオケ装置１の動作について＝＝
次に、図７を参照して本実施形態におけるカラオケ装置１の動作の具体例について述べる。図７は、カラオケ装置１の動作例を示すフローチャートである。この例では、楽曲Ｘについてカラオケ演奏の予約がなされたとする。
【００７６】
第２の判断部７００は、楽曲Ｘについてカラオケ演奏を行う前に、楽曲Ｘの歌詞の中にキーワードが含まれているかどうかを予め判断する（キーワードの有無を判断。ステップ２０）。楽曲Ｘの歌詞の中にキーワードが含まれていないと判断された場合（ステップ２１でＮの場合）、コマンド制御部６００は、歌詞抽出部４００及び比較部５００の機能を無効化する（歌詞抽出部及び比較部の機能を無効化。ステップ２２）。その後、楽曲Ｘのカラオケ演奏が開始される（カラオケ演奏の開始。ステップ２３）。
【００７７】
特定部２００は、楽曲Ｘの歌唱区間においてマイク４０から入力される音声を順次解析し、音声入力された文字を時系列に特定する（音声入力された文字の特定。ステップ２４）。
【００７８】
第１の判断部３００は、ステップ２４で特定された文字とデータ記憶部１００に記憶されているキーワードとを比較する（特定された文字とキーワードを比較。ステップ２５）。
【００７９】
キーワードと同じ文字からなる所定の文字列が音声入力された場合（ステップ２６でＹの場合）、コマンド制御部６００は、当該キーワードに対応する操作コマンドに従った操作を実行する（操作の実行。ステップ２７）。カラオケ装置１は、楽曲Ｘの全ての歌唱区間が終了するまで（ステップ２８でＹの場合）、各歌唱区間において上記処理を繰り返し行う。
【００８０】
一方、楽曲Ｘの歌詞の中にキーワードが含まれていると判断された場合（ステップ２１でＹの場合）、カラオケ装置１は、第１実施形態のステップ１０以降の処理を実行する。
【００８１】
以上から明らかなように、本実施形態に係るカラオケ装置１は、ある楽曲についてカラオケ演奏を行う前に、当該ある楽曲の歌詞の中にキーワードが含まれているかどうかを予め判断する第２の判断部７００を有する。そして、ある楽曲の歌詞の中にキーワードが含まれていないと判断された場合、コマンド制御部６００は、歌詞抽出部４００及び比較部５００の機能を無効化し、且つキーワードと同じ文字からなる所定の文字列が音声入力された場合、当該キーワードに対応する操作コマンドに従った操作を実行する。
【００８２】
このようなカラオケ装置１によれば、ある楽曲についてカラオケ演奏を行う前に、予めある楽曲の歌詞の中に操作コマンドに対応したキーワードが含まれているかどうかを判断できる。そして、ある楽曲の歌詞の中に操作コマンドに対応したキーワードが含まれていない場合には、歌詞抽出部４００及び比較部５００による処理を不要にできる。一方、カラオケ装置１は、歌唱区間においてキーワードを音声入力することにより、当該キーワードに対応する操作コマンドに従った操作を実行できる。
【００８３】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８４】
１  カラオケ装置
１００  データ記憶部
２００  特定部
３００  第１の判断部
４００  歌詞抽出部
５００  比較部
６００  コマンド制御部
７００  第２の判断部
【図１】
2019117282.tif 000003
【図２】
2019117282.tif 000004
【図３】
2019117282.tif 000005
【図４】
2019117282.tif 000006
【図５】
2019117282.tif 000007
【図６】
2019117282.tif 000008
【図７】
2019117282.tif 000009